(57)【要約】【課題】商品の展示会や催事等のイベント開催時に、取引先からの大量注文を処理する入力業務の軽減化を図ると共に、取引形態を統一することでイベント業務の効率化を図る受注作成装置、受注作成方法、および、受注作成プログラムを提供することを課題とする。【解決手段】商品を展示するイベント時に取引先からの注文を受けて受注を作成する受注作成装置１００であって、制御部１０２は、商品を少なくとも品種分類、品種、色、およびサイズで区別する品番コードに対してイベントを指定するイベントコードの設定を行う設定部１０２ａと、イベントコードを指定して実行することでイベントに紐付く品番の一覧をマトリックス表に変換して出力するマトリックス出力部１０２ｂと、マトリックス表に対して取引先から注文数量が記入されたものを取り込むマトリックス取込部１０２ｃとを備え、取り込まれた注文数量に基づいて受注を計上することを特徴とする。【選択図】図１
2018097678.tif 000002
【特許請求の範囲】
【請求項１】
制御部と記憶部とを備え、商品を展示するイベント時に取引先からの注文を受けて受注を作成する受注作成装置であって、
前記制御部は、
前記商品を少なくとも品種分類、品種、色、およびサイズで区別する品番コードに対して、前記イベントを指定するイベントコードの設定を行う設定手段と、
前記イベントコードを指定して実行することにより、前記イベントに紐付く品番の一覧をマトリックス表に変換して出力するマトリックス出力手段と、
前記マトリックス表に対して前記取引先から注文数量が記入されたものを取り込むマトリックス取込手段と、
を備え、
取り込まれた注文数量に基づいて受注を計上すること、
を特徴とする受注作成装置。
【請求項２】
前記品番コードは、
更に、前記商品を上代、発注単位、および、発売時期の少なくとも一つを用いて区別すること、
を特徴とする請求項１に記載の受注作成装置。
【請求項３】
前記マトリックス出力手段は、
前記取引先によって注文数量を記入する前記マトリックス表として、前記品番コード毎に各色に対してサイズ別に数量が記入可能な欄を設け、
前記サイズ別の欄は、注文可能なサイズの欄を空欄とし、注文不可能なサイズの欄をマスクして識別できるように出力すること、
を特徴とする請求項１または２に記載の受注作成装置。
【請求項４】
前記マトリックス出力手段は、
前記取引先によって注文数量を記入する前記マトリックス表として、サイズ表記の異なる前記品種分類に応じて前記マトリックス表を分けて出力すること、
を特徴とする請求項１〜３のいずれか一つに記載の受注作成装置。
【請求項５】
制御部と記憶部とを備え、商品を展示するイベント時に取引先からの注文を受けて受注を作成する受注作成装置において実行される受注作成方法であって、
前記制御部において実行される、
前記商品を少なくとも品種分類、品種、色、およびサイズで区別する品番コードに対して、前記イベントを指定するイベントコードの設定を行う設定ステップと、
前記イベントコードを指定して実行することにより、前記イベントに紐付く品番の一覧をマトリックス表に変換して出力するマトリックス出力ステップと、
前記マトリックス表に対して前記取引先から注文数量が記入されたものを取り込むマトリックス取込ステップと、
を含み、
取り込まれた注文数量に基づいて受注を計上すること、
を特徴とする受注作成方法。
【請求項６】
制御部と記憶部とを備え、商品を展示するイベント時に取引先からの注文を受けて受注を作成する受注作成装置において実行させるための受注作成プログラムであって、
前記制御部において実行させるための、
前記商品を少なくとも品種分類、品種、色、およびサイズで区別する品番コードに対して、前記イベントを指定するイベントコードの設定を行う設定ステップと、
前記イベントコードを指定して実行することにより、前記イベントに紐付く品番の一覧をマトリックス表に変換して出力するマトリックス出力ステップと、
前記マトリックス表に対して前記取引先から注文数量が記入されたものを取り込むマトリックス取込ステップと、
を含み、
取り込まれた注文数量に基づいて受注を計上すること、
を特徴とする受注作成プログラム。
【発明の詳細な説明】
【技術分野】
【０００１】
本発明は、受注作成装置、受注作成方法、および、受注作成プログラムに関する。
【背景技術】
【０００２】
特許文献１には、アパレル業界において、通信ネットワークを介して商品に関する情報を提供し、メーカーと小売店との間で行われる商品取引を仲介する商品取引仲介支援システムが開示されている。
【先行技術文献】
【特許文献】
【０００３】
【特許文献１】特開２００３−５８６１３号公報
【発明の概要】
【発明が解決しようとする課題】
【０００４】
しかしながら、特許文献１にあっては、メーカー端末装置と小売店端末装置との間に通信ネットワークを介して接続された情報管理センターを構築する必要があり、商品情報の提供や商品取引の仲介を行うため、各種テーブルが格納されたデータベースを設定し、メーカー端末装置や小売店端末装置にアクセスして処理を行う処理手段を制御するためのプログラムを組み込む等、これらのシステムを構築するために膨大な手間とコストが掛かるという課題があった。また、特許文献１では、扱う商品内容が変わる度に情報管理センターのデータベースを更新する必要があるため、メンテナンスに手間が掛かるという課題があった。
【０００５】
本発明は、上記問題点に鑑みてなされたものであって、商品の展示会や催事等のイベント開催時において、取引先からの大量注文を処理する入力業務の軽減化を図ると共に、取引形態を統一することによってイベント業務の効率化が図れる受注作成装置、受注作成方法、および、受注作成プログラムを提供することを目的とする。
【課題を解決するための手段】
【０００６】
上述した課題を解決し、目的を達成するために、本発明に係る受注作成装置は、制御部と記憶部とを備え、商品を展示するイベント時に取引先からの注文を受けて受注を作成する受注作成装置であって、前記制御部は、前記商品を少なくとも品種分類、品種、色、およびサイズで区別する品番コードに対して、前記イベントを指定するイベントコードの設定を行う設定手段と、前記イベントコードを指定して実行することにより、前記イベントに紐付く品番の一覧をマトリックス表に変換して出力するマトリックス出力手段と、前記マトリックス表に対して前記取引先から注文数量が記入されたものを取り込むマトリックス取込手段と、を備え、取り込まれた注文数量に基づいて受注を計上すること、を特徴とする。
【０００７】
また、本発明に係る受注作成装置は、前記品番コードは、更に、前記商品を上代、発注単位、および、発売時期の少なくとも一つを用いて区別すること、を特徴とする。
【０００８】
また、本発明に係る受注作成装置は、前記マトリックス出力手段は、前記取引先によって注文数量を記入する前記マトリックス表として、前記品番コード毎に各色に対してサイズ別に数量が記入可能な欄を設け、前記サイズ別の欄は、注文可能なサイズの欄を空欄とし、注文不可能なサイズの欄をマスクして識別できるように出力すること、を特徴とする。
【０００９】
また、本発明に係る受注作成装置は、前記マトリックス出力手段は、前記取引先によって注文数量を記入する前記マトリックス表として、サイズ表記の異なる前記品種分類に応じて前記マトリックス表を分けて出力すること、を特徴とする。
【００１０】
また、本発明に係る受注作成方法は、制御部と記憶部とを備え、商品を展示するイベント時に取引先からの注文を受けて受注を作成する受注作成装置において実行される受注作成方法であって、前記制御部において実行される、前記商品を少なくとも品種分類、品種、色、およびサイズで区別する品番コードに対して、前記イベントを指定するイベントコードの設定を行う設定ステップと、前記イベントコードを指定して実行することにより、前記イベントに紐付く品番の一覧をマトリックス表に変換して出力するマトリックス出力ステップと、前記マトリックス表に対して前記取引先から注文数量が記入されたものを取り込むマトリックス取込ステップと、を含み、取り込まれた注文数量に基づいて受注を計上すること、を特徴とする。
【００１１】
また、本発明に係る受注作成プログラムは、制御部と記憶部とを備え、商品を展示するイベント時に取引先からの注文を受けて受注を作成する受注作成装置において実行させるための受注作成プログラムであって、前記制御部において実行させるための、前記商品を少なくとも品種分類、品種、色、およびサイズで区別する品番コードに対して、前記イベントを指定するイベントコードの設定を行う設定ステップと、前記イベントコードを指定して実行することにより、前記イベントに紐付く品番の一覧をマトリックス表に変換して出力するマトリックス出力ステップと、前記マトリックス表に対して前記取引先から注文数量が記入されたものを取り込むマトリックス取込ステップと、を含み、取り込まれた注文数量に基づいて受注を計上すること、を特徴とする。
【発明の効果】
【００１２】
本発明によれば、商品の展示会や催事等のイベント開催時において、取引先からの大量注文を処理する入力業務の軽減化を図ると共に、取引形態を統一することによってイベント業務の効率化が図れるという効果を奏する。
【図面の簡単な説明】
【００１３】
【図１】図１は、本実施形態に係る受注作成装置の構成の一例を示すブロック図である。
【図２】図２は、本実施形態に係る受注作成装置の記憶部を構成する商品に関するマスタの概要を説明する図である。
【図３】図３は、商品体系の一例を示す図である。
【図４】図４は、品番マスタメンテナンス画面の一例を示す図である。
【図５】図５は、商品コード生成の一例を示す図である。
【図６】図６は、本実施形態に係る受注作成装置の処理の一例を示すフローチャートである。
【図７】図７は、マトリックス出力画面の一例を示す図である。
【図８】図８は、発注表の一例を示す図である。
【図９】図９は、品種分類がトップスの場合の発注表の一例を示す図である。
【図１０】図１０は、品種分類がシューズの場合の発注表の一例を示す図である。
【図１１】図１１は、品種分類が指輪の場合の発注表の一例を示す図である。
【発明を実施するための形態】
【００１４】
本発明にかかる受注作成装置、受注作成方法および受注作成プログラムの実施形態を図面に基づいて詳細に説明する。なお、本発明は本実施形態により限定されるものではない。
【００１５】
［１．概要］
従来の小売業界などでは、定期的に展示会や催事などのイベントを開催することで、新商品の紹介や販売促進を行っている。このようなイベントにおける取引先からの受注は、一時期に集中することから受注量が多くなり、また、取引先から注文を受ける受注形態がバラバラであるため、受注入力に多くの時間を費やす必要があった。このため、受注後に発注検討するような展示会の場合は、発注時期が遅れてしまう原因となっていた。
【００１６】
そこで、本実施形態に係る受注作成装置は、予め品番にイベントコード（ＣＤ）を設定しておき、そのイベントコードを指定して実行すると、これと紐付く品番の一覧をマトリックス表形式（例えば、Ｅｘｃｅｌ（登録商標））に変換して、出力する仕組みを構築したものである。例えば、アパレル関係の展示会コードを設定した品番を、縦軸：カラー、横軸：サイズのマトリックス表として商品単位で出力してもよい。そして、このマトリックス表に対して、取引先が注文したい商品の該当するカラーやサイズの欄に注文数量を記入して、そのままシステムに取り込むことができる仕組みを構築することにより、マトリックス表からの受注作成が可能になった。これにより、取引先とのイベントでの取引形態を統一化できるようになり、入力業務の軽減を実現することにより、イベント業務の効率化が図れるようになった。
【００１７】
［２．構成］
本実施形態に係る受注作成装置の構成の一例について、図１から図１１を参照して説明する。図１は、本実施形態に係る受注作成装置の構成の一例を示すブロック図である。図２は、本実施形態に係る受注作成装置の記憶部を構成する商品に関するマスタの概要を説明する図である。図３は、商品体系の一例を示す図である。図４は、品番マスタメンテナンス画面の一例を示す図である。図５は、商品コード生成の一例を示す図である。図６は、本実施形態に係る受注作成装置の処理の一例を示すフローチャートである。図７は、マトリックス出力画面の一例を示す図である。図８は、発注表の一例を示す図である。図９は、品種分類がトップスの場合の発注表の一例を示す図である。図１０は、品種分類がシューズの場合の発注表の一例を示す図である。図１１は、品種分類が指輪の場合の発注表の一例を示す図である。
【００１８】
受注作成装置１００は、市販のデスクトップ型パーソナルコンピュータである。なお、受注作成装置１００は、デスクトップ型パーソナルコンピュータのような据置型情報処理装置に限らず、市販されているノート型パーソナルコンピュータ、ＰＤＡ（Ｐｅｒｓｏｎａｌ  Ｄｉｇｉｔａｌ  Ａｓｓｉｓｔａｎｔｓ）、スマートフォン、タブレット型パーソナルコンピュータなどの携帯型情報処理装置であってもよい。
【００１９】
受注作成装置１００は、制御部１０２と通信インターフェース部１０４と記憶部１０６と入出力インターフェース部１０８と、を備えている。受注作成装置１００が備えている各部は、任意の通信路を介して通信可能に接続されている。
【００２０】
通信インターフェース部１０４は、ルータ等の通信装置および専用線等の有線又は無線の通信回線を介して、受注作成装置１００をネットワーク３００に通信可能に接続する。通信インターフェース部１０４は、他の装置と通信回線を介してデータを通信する機能を有する。ここで、ネットワーク３００は、受注作成装置１００とサーバ２００とを相互に通信可能に接続する機能を有し、例えばインターネットやＬＡＮ（Ｌｏｃａｌ  Ａｒｅａ  Ｎｅｔｗｏｒｋ）等である。
【００２１】
［記憶部１０６］
記憶部１０６には、各種のデータベース、テーブル、およびファイルなどが格納される。記憶部１０６には、ＯＳ（Ｏｐｅｒａｔｉｎｇ  Ｓｙｓｔｅｍ）と協働してＣＰＵ（Ｃｅｎｔｒａｌ  Ｐｒｏｃｅｓｓｉｎｇ  Ｕｎｉｔ）に命令を与えて各種処理を行うためのコンピュータプログラムが記録される。記憶部１０６として、例えば、ＲＡＭ（Ｒａｎｄｏｍ  Ａｃｃｅｓｓ  Ｍｅｍｏｒｙ）・ＲＯＭ（Ｒｅａｄ  Ｏｎｌｙ  Ｍｅｍｏｒｙ）等のメモリ装置、ハードディスクのような固定ディスク装置、フレキシブルディスク、および光ディスク等を用いることができる。ここで、記憶部１０６は、品種分類マスタ１０６ａ、品種マスタ１０６ｂ、特性マスタ１０６ｃ、特性値マスタ１０６ｄ、品種分類別特性定義マスタ１０６ｅ、品番マスタ１０６ｆ、および商品マスタ１０６ｇ等を備えている。以下、各マスタに格納される情報の具体例について、図２および図３を用いて詳細に説明する。
【００２２】
［品種分類マスタ１０６ａ］
品種分類マスタ１０６ａは、商品の大分類を示す品種分類を設定するためのマスタである。品種分類というカテゴリで、商品コード（ＳＫＵ（Ｓｔｏｃｋ  Ｋｅｅｐｉｎｇ  Ｕｎｉｔ）：商品識別の最小単位）の構成内容が決定される。品種分類マスタ１０６ａは、例えば、商品の品種分類として、図２に示すように、“家具”および“雑貨”が定義され、それぞれの品種分類に対する品種分類コードとして“Ｎ０１”および“Ｎ０２”が定義されたことを保持するためのマスタである。また、商品体系図における品種分類では、図３に示すように、“トップス”、“バッグ”および“シューズ”が定義され、それぞれの品種分類に対する品種分類コードとして“０１”、“０２”、および“０３”が定義されている。
【００２３】
［品種マスタ１０６ｂ］
品種マスタ１０６ｂは、商品の中分類を示す品種を設定するためのマスタである。品種は、品種分類をさらに細分化したものである。在庫表や売上実績などで、品種別の売上実績を取得することが可能である。品種マスタ１０６ｂは、例えば、図２に示すように、品種分類「家具」の品種として“キッチン”、“リビング”、“ベッド”および“学習机”が定義され、品種分類「雑貨」の品種として“キッチン用品”および“文具”などが定義され、それぞれの品種に対する品種コードとして“０１”、“０２”、“０３”、“０４”、“１０”、“１１”が定義されたことを保持するためのマスタである。また、商品体系図における品種では、図３に示すように、“Ｔシャツ”、“シャツ”および“カーディガン”が定義され、それぞれの品種に対する品種コードとして“０１０１”、“０１０２”、および“０１０３”が定義されている。
【００２４】
［特性マスタ１０６ｃ］
特性マスタ１０６ｃは、品番または商品の構成要素となる特性を定義するためのマスタである。それぞれの特性は、品番の構成要素となるもの、商品の構成要素となるもの、などに分けられる。
【００２５】
特性マスタ１０６ｃは、図２に示すように、品番の構成に使われる特性として“アイテム”、“メーカー”が定義され、その特性に対する特性値コードのタイプとして“コード値”が定義され、商品の構成に使われる特性として“カラー”および“サイズ”が定義され、それらの特性に対する特性値コードのタイプとして“コード値”が定義されたことを保持するためのマスタである。例えば、本実施形態に係る特性マスタ１０６ｃには、図３に示すように、品番特性として、“イベントＣＤ（コード）”が定義され、その品番特性に対する特性コードとして“０１”が定義されている。また、商品特性として、“色（カラー）”および“サイズ”が定義され、その特性に対する特性コードとして“００１”と“００２”が定義されている。
【００２６】
［特性値マスタ１０６ｄ］
特性値マスタ１０６ｄは、特性マスタ１０６ｃに設定された構成要素となる特性の値（数値またはコード値）およびその名称を設定するためのマスタである。特性値コードのタイプには、“コード値”および“数値”の２つがある。特性値コードのタイプが“コード値”である場合には、特性値マスタ１０６ｄにそのコード値を登録する必要がある。特性値コードのタイプが“数値”である場合には、特性値マスタ１０６ｄにその数値を登録する必要はなく、その数値はユーザ入力で自由に設定することが可能である。
【００２７】
特性値マスタ１０６ｄは、図２に示すように、特性「アイテム」の特性値として“ダイニングテーブル”、“食器棚”および“リビングボード”が定義され、それらの特性値コードとして“００”、“０１”および“０２”が定義され、特性「カラー」の特性値として“白”、“黒”および“青”が定義され、それらの特性値コードとして“００”、“０１”および“０２”が定義されたことを保持するためのマスタである。
【００２８】
また、特性値マスタ１０６ｄは、図３に示すように、品番特性「イベントＣＤ」の特性値１として“２０１４ＳＳ”、“２０１４ＦＷ”および“２０１５ＳＳ”が定義され、それらの特性値１コードとして“１４ＳＳ”、“１４ＦＷ”および“１５ＳＳ”が定義されたことを保持するためのマスタである。さらに、商品特性「色（カラー）」の特性値１として“Ｗｉｔｅ”、“Ｂｌａｃｋ”および“Ｒｅｄ”が定義されたことや、それらの特性値コードとして“００１”、“００２”および“００３”が定義され、商品特性「サイズ」の特性値２として“Ｏｎｅ  Ｓｉｚｅ”、“ＸＸＳ”および“ＸＳ”が定義され、それらの特性値２コードとして“００”、“０１”および“０２”が定義されたことを保持するためのマスタである。
【００２９】
［品種分類別特性定義マスタ１０６ｅ］
品種分類別特性定義マスタ１０６ｅは、品種分類別にカテゴリに含まれる商品コードの構成を設定するマスタである。特性は無限に設定することできる。なお、特性をどのカテゴリ（商品、品番または品種分類）に当てはめるかは、ユーザ側で自由に設定可能である。
【００３０】
品種分類別特性定義マスタ１０６ｅは、例えば、品種分類「家具」において、品種分類の構成に使われる特性（品種分類固定特性：品種分類において固定の特性）としてメーカーが定義され、品番の構成に使われる特性（品番固定特性：品番において固定の特性）としてアイテムが定義され、商品の構成に使われる特性（商品変動特性：商品において変動する特性）としてカラーが定義されたことや、品種分類「雑貨」において、品種分類の構成に使われる特性（品番固定特性：品番において固定の特性）としてメーカーが定義されたこと、などを保持するためのマスタである。なお、品番の構成に使われる特性として連番を設定することにより、メーカーおよびアイテム別、またはメーカー、年度およびシーズン別に、品番コードを自動採番することが可能である。
【００３１】
［品番マスタ１０６ｆ］
品番マスタ１０６ｆは、品番を設定するためのマスタである。品番マスタ１０６ｆに格納される情報は、上記した品種分類マスタ１０６ａまたは品種マスタ１０６ｂから自動的に作成されてもよい。例えば、品番コードは、品種分類コードまたは品種コードと特性値コードとの組み合わせで採番されてもよい。また、品番マスタ１０６ｆは、例えば、図２に示すように、品種分類「家具」の品番として、“ダイニングテーブル（白、黒あり）”が登録され、その品番に対する品番コード（００１０２００１）は、メーカーコード（００１）＋アイテムコード（０２）＋連番（００１）の組み合わせで採番されてもよい。さらに、白と黒の“ダイニングテーブル”の商品コード（００１０２００１００、００１１０２００１０１）は、品番コード（００１０２００１）＋カラーコード（００：白、０１：黒）の組み合わせで採番されてもよい。また、品番マスタ１０６ｆは、例えば、図２に示すように、品種分類「雑貨」の品番として、品番コードを手入力（商品コードは同値が割り当てられる）してもよい。
【００３２】
品番マスタ１０６ｆの項目としては、例えば、「品番コード」、「品番名」、「品番カナ名」、「品種分類コード」、「品種分類名」、「特性コード」、「特性名」、「特性値」、「特性値名」および「付属情報」が含まれており、各々の項目ごとにデータ格納欄が設けられている。
【００３３】
項目「品番コード」のデータ格納欄には、品番として定義された文字列（例えば、品種分類「家具」の品番として定義されたダイニングテーブルなど、品種分類「トップス」の品番として定義されたＴシャツなど）に割り当てられたコード値が格納される。項目「品番名」のデータ格納欄には、品番として定義された文字列が格納される。項目「品番カナ名」のデータ格納欄には、品番として定義された文字列の片仮名（例えば、品番「Ｔシャツ」の片仮名であるティーシャツなど）が格納される。
【００３４】
項目「品種分類コード」のデータ格納欄には、品種分類として定義された文字列に割り当てられたコード値が格納される。項目「品種分類名」のデータ格納欄には、品種分類として定義された文字列が格納される。
【００３５】
項目「特性コード」のデータ格納欄には、特性として定義された文字列（例えば、メーカー、アイテム、連番、年度、シーズン、カラーまたはサイズなど）に割り当てられたコード値が格納される。項目「特性名」のデータ格納欄には、特性として定義された文字列が格納される。
【００３６】
項目「特性値」のデータ格納欄には、特性値として定義された文字列に割り当てられた数値またはコード値が格納される。項目「特性値名」のデータ格納欄には、特性値として定義された文字列が格納される。ここで、特性値として定義された文字列とは、例えば、特性「メーカー」の特性値として定義された○○社および××社、特性「アイテム」の特性値として定義されたダイニングテーブル、食器棚およびリビングボード、特性「カラー」の特性値として定義された白、黒および青、特性「サイズ」の特性値として定義されたＳ、ＭおよびＬ、特性「イベントＣＤ」の特性値として定義された“２０１４ＳＳ”、“２０１４ＦＷ”および“２０１５ＳＳ”などである。また、特性値として定義された文字列に割り当てられた数値またはコード値とは、例えば、特性値「○○社」に割り当てられた０１、特性値「××社」に割り当てられた０２、特性値「ダイニングテーブル」に割り当てられた００、特性値「食器棚」に割り当てられた０１、特性値「リビングボード」に割り当てられた０２、特性値「白」に割り当てられた００またはＷＨ、特性値「黒」に割り当てられた０１またはＢＬ、特性値「青」に割り当てられた０２、特性値「Ｓ」に割り当てられた００、特性値「Ｍ」に割り当てられた０１および特性値「Ｌ」に割り当てられた０２、特性値「２０１４ＳＳ」に割り当てられた１４ＳＳ、特性値「２０１４ＦＷ」に割り当てられた１４ＦＷ、特性値「２０１５ＳＳ」に割り当てられた１５ＳＳ、などである。
【００３７】
項目「付属情報」のデータ格納欄には、品番毎に設定している付属情報の“発売時期”が格納され、また、品番毎に設定している付属情報の“発注単位”が格納されている。
【００３８】
このように、品番マスタ１０６ｆには、上記マスタの設定に合わせてそれぞれの特性値を設定し、品番コード、商品コードが登録される。特に、本実施形態では、この品番マスタ１０６ｆに対して、図３に示すように、品番単位で特性値である展示会ＣＤや催事ＣＤといったイベントＣＤを事前に設定しておく点に特徴がある。これにより、イベントＣＤを指定するだけで、当該イベントに出品する商品データの一覧を容易に呼び出すことが可能となる。
【００３９】
［商品マスタ１０６ｇ］
商品マスタ１０６ｇは、商品の商品コード（ＳＫＵ）を設定するためのマスタである。上記の品種分類マスタ１０６ａにおいて、商品コードを特定する単位が“商品”と指定された場合は、品番コード＋特性値（複数）の組み合わせで自動生成（商品展開画面より）され、商品コードを特定する単位が“品番”と指定された場合は、品番コード＝商品コードとして自動生成される。このように、商品コードは、図４に示す品番マスタメンテナンス画面から自動的に作成され、図５に示すように、品番コード＋特性値（カラーやサイズ）の組み合わせで採番される。
【００４０】
商品マスタ１０６ｇは、項目として、「商品コード」、「商品特性」、「特性値１：色（カラー）」、「特性値２：サイズ」、および「商品単価」が含まれており、各々の項目ごとにデータ格納欄が設けられているマスタである。
【００４１】
項目「商品コード」のデータ格納欄には、商品として定義された文字列（例えば、品番コードと特性値との組み合わせ（図５の行１に示す、品種コード“Ｈ０１１３０１００１”＋特性値コード１“カラー：ＢＬ”＋特性値コード２“サイズ：Ｌ”＝商品コード“Ｈ０１１３０１００１ＢＬＬ”）など）のように作成されたコード値が格納される。項目「商品特性」のデータ格納欄には、商品の特性（００１：色（カラー）、００２：サイズ）として定義された文字列が格納される。項目「特性値１」のデータ格納欄には、商品の構成に使われる特性「色（カラー）」（商品変動特性として設定されたもの）の特性値（００１：Ｗｈｉｔｅ、００２：Ｂｌａｃｋ、００３：Ｒｅｄ）が格納される。項目「特性値２」のデータ格納欄には、商品の構成に使われる特性「サイズ」（商品変動特性として設定されたもの）の特性値（００：Ｏｎｅ  Ｓｉｚｅ、０１：ＸＸＳ、０２：ＸＳ）が格納される。項目「商品単価」のデータ格納欄には、例えば商品毎に設定している上代単価の最初に取得できる単価が格納される。なお、商品は違っても色・サイズごとに単価は変わらない。
【００４２】
入出力インターフェース部１０８は、入力装置１１２および出力装置１１４が接続されている。出力装置１１４には、モニタ（家庭用テレビを含む）の他、スピーカやプリンタを用いることができる。入力装置１１２には、キーボード、マウス、およびマイクの他、マウスと協働してポインティングデバイス機能を実現するモニタを用いることができる。なお、以下では、出力装置１１４をモニタ１１４とし、入力装置１１２をキーボード１１２またはマウス１１２として記載する場合がある。
【００４３】
［制御部１０２］
制御部１０２は、受注作成装置１００を統括的に制御するＣＰＵ等である。制御部１０２は、ＯＳ等の制御プログラム・各種の処理手順等を規定したプログラム・所要データなどを格納するための内部メモリを有し、格納されているこれらのプログラムに基づいて種々の情報処理を実行する。
【００４４】
制御部１０２は、商品（マスタ管理可能な在庫管理の最小単位）に関する特性である商品特性および当該商品特性の値である商品特性値を取得し、取得された商品特性を、商品の構成に使われる特性であって商品において変動する特性である商品変動特性（カラーやサイズなど）として記憶部１０６に設定すると共に、取得された商品特性値を当該取得された商品特性と関連付けて記憶部１０６に設定する。
【００４５】
なお、制御部１０２は、商品を同じ形・同じデザインなど所定のルールに従ってグループ分けして得られたグループを示す品番に関する特性である品番特性および当該品番特性の値である品番特性値を取得し、取得された品番特性を、品番の構成に使われる特性であって品番において固定の特性である品番固定特性として記憶部１０６に設定すると共に、取得された品番特性値を当該取得された品番特性と関連付けて記憶部１０６に設定してもよい。
【００４６】
また、制御部１０２は、商品の大分類を示す品種分類に関する特性である品種分類特性および当該品種分類特性の値である品種分類特性値を取得し、取得された品種分類特性を、品種分類の構成に使われる特性であって品種分類において固定の特性である品種分類固定特性として記憶部１０６に設定すると共に、取得された品種分類特性値を当該取得された品種分類特性と関連付けて記憶部１０６に設定してもよい。
【００４７】
また、制御部１０２は、記憶部１０６に関連付けて設定されている商品特性および／または商品特性値に基づいて、商品に関する情報（例えば商品コード（ＳＫＵ（Ｓｔｏｃｋ  Ｋｅｅｐｉｎｇ  Ｕｎｉｔ）：商品識別の最小単位）および商品名など）を作成してもよい。また、制御部１０２は、記憶部１０６に関連付けて設定されている品番および／または当該品番の値である品番値と記憶部１０６に関連付けて設定されている商品特性および／または商品特性値とに基づいて、商品に関する情報を作成してもよい。
【００４８】
制御部１０２は、機能概念的に、設定手段としての設定部１０２ａ、マトリックス出力手段としてのマトリックス出力部１０２ｂ、マトリックス取込手段としてのマトリックス取込部１０２ｃ等を備えている。以下、制御部１０２の各処理部で行われる処理の具体例について、詳細に説明する。
【００４９】
［設定部１０２ａ］
設定部１０２ａは、イベントに出品する商品について品番マスタ１０６ｆに対し品番単位でイベントＣＤを紐付けるように設定する。また、設定部１０２ａは、品番単位で商品の上代、発売時期、発注単位などを設定してもよい。これにより、イベントＣＤを指定するだけで、当該イベントに出品される全商品の品番コードと、それに付随する特性（カラー、サイズなど）や特性値データ（白、黒、青やＳ、Ｍ、Ｌなど）を抽出することができる。特性値データの設定は、図４に示す品番マスタメンテナンス画面を用いて、特定の品番コードに対して在庫のあるカラーにチェックを入れ、選択したＧＯ：ＧＰゴールドに対しては、サイズＬ、Ｍ、Ｓのいずれかをチェック、あるいは、全てのサイズを選択したい場合は、一括選択ボタンを押下して全てにチェックを入れることで、特定の品番コードに対する特性値を設定することができる。また、カラーの種類が多い場合は、絞込ボタンを使って絞り込みをかけ、チェックマークを一旦解除して個別にチェックを入れる場合は、一括解除ボタンを使うことができる。さらに、品番単位で商品の上代、発売時期、発注単位を設定した場合は、これらのデータも紐付けられているため、イベントＣＤを指定することにより、これらのデータも一緒に抽出することができる（図８参照）。
【００５０】
［マトリックス出力部１０２ｂ］
マトリックス出力部１０２ｂは、設定部１０２ａで設定されたイベントＣＤのうち、開催するイベントＣＤを指定すると、品番マスタ１０６ｆから該当する品番コードとそれに付随するデータを抽出し、例えばＥｘｃｅｌ（登録商標）などのマトリックス表形式に変換して出力する出力部である。これにより、マトリックス出力部１０２ｂは、同じ品番コードの商品の中でカラー違いとサイズ違いがあっても、同じ品番でカラー毎にサイズの違う商品を個別に数量指定できる発注表（オーダーシート）を作成することができる。出力されたマトリックス表の一例としては、図８に示すような発注表がある。図８に示すマトリックス表は、行毎にカラーの違いを表記し、列毎にサイズの違いを表記したため、サイズの単位が異なる品種分類別にＥｘｃｅｌ（登録商標）シートを分けて出力する必要がある。例えば、品種分類が“トップス”の場合は、図９に示すような発注表となり、品種分類が“シューズ”の場合は、図１０に示すような発注表となり、品種分類が“指輪”の場合は、図１１に示すような発注表となる。なお、本実施形態では、図８〜図１１に示すように、各カラーで在庫の有るサイズの「セル」は、数量入力が可能な空欄とし、在庫の無いサイズの「セル」は、数量入力が不可能なマスクをかける。これにより、商品のサイズ違いの在庫の有無を一覧表示することができると共に、注文の誤入力を未然に防止することができる。
【００５１】
［マトリックス取込部１０２ｃ］
マトリックス取込部１０２ｃは、マトリックス出力部１０２ｂで出力されたマストリックス表形式の発注表に対して、取引先が発注する発注数量が入力された発注表データを取り込む取込部である。これにより、マトリックス取込部１０２ｃは、発注表に入力された発注数量データを品番コード、カラー、サイズ別に集計して取り込みを行い、これを受注データとして計上する。上記マトリックス出力部１０２ｂから出力されるマストリックス表は、紙出力したものに取引先が発注数量を記入し、これをスキャナーで読み込むことでデータを取り込むようにしてもよい。また、本実施形態では、マトリックス出力部１０２ｂから出力されたマストリックス表を電子データ化し、通信インターフェース部１０４を介してネットワーク３００経由で各取引先端末４００−１〜４００−ｎへ送信し、各取引先端末４００−１〜４００−ｎで発注数量が入力された発注表データをネットワーク３００経由で返送し、このデータを取り込むようにしてもよい。なお、マストリックス表形式の発注表は、図８〜図１１に図示していないが、取引先を識別するための取引先ＣＤが入力されるようになっている。このように、本実施形態に係る受注作成装置１００は、共通のフォーマットによって発注表（あるいは、受注表にもなる）を作成し、出力するため、取引形態が統一化されてイベント業務の効率化を図ることができる。
【００５２】
［３．具体例］
本実施形態の具体例について、図６〜図１１を参照し、本実施形態に係る受注作成装置の処理の一例について説明する。
【００５３】
以下、受注作成装置１００の処理の流れについて図６のフローチャートを用いて説明し、さらに、図７〜図１１を用いて具体的に説明する。
【００５４】
［受注作成装置の処理について］
本実施形態に係る受注作成装置１００の設定部１０２ａは、図６に示すように、品番マスタ１０６ｆに対して品番単位で展示会ＣＤや催事ＣＤで総称されるイベントＣＤを設定する（ステップＳＡ１）。これにより、各品番コードとイベントＣＤとを紐付けることができる。
【００５５】
続いて、マトリックス出力部１０２ｂは、図７に示すマトリックス出力画面を用いてオペレータがイベント欄にイベントＣＤを直接入力して指定するか、イベント名等のキーワードを入力し、Ｆ４：検索キーを押下すると、別画面で関連するイベントＣＤ一覧が表示され、この中から該当するイベントＣＤを選択することで指定してもよい。また、「品種分類」、「品種」、「品番」の各項目については、オペレータが抽出データの範囲を指定するものである。ここで、マトリックス出力部１０２ｂは、マトリックス出力画面のＦ９：出力キーが押下されると、抽出されたイベントＣＤと紐付く品番関連データを用いて、図８に示すようなマトリックス表形式の発注表（オーダーシート）をＥｘｃｅｌ（登録商標）で作成する（ステップＳＡ２）。作成されるマトリックス表は、品種分類単位でサイズ単位が異なる場合は、品種分類別にシートを分けて作成するようにする。具体的には、品種分類が“トップス”の場合は、図９に示すようにサイズの単位がＳ、Ｍ、Ｌとなり、品種分類が“シューズ”の場合は、図１０に示すようにサイズの単位が２４．５〜２８となり、品種分類が“指輪”の場合は、図１１に示すようにサイズの単位が５〜１４までとなる。
【００５６】
出力されたマトリックス表は、図８に示すように、指定されたイベントに展示される品番コードに関連した特性値としての商品の色（カラー）やサイズ、上代などの商品単価、付属情報としての発売時期や発注単位などを表形式に変換して、一覧表示形式にできる。図８に示すマトリックス表は、行毎にカラーの違いを表記し、列毎にサイズの違いを表記しているため、各カラーに対してそれぞれのサイズがオーダーできるようになっている。また、図８に示すように、各カラーで在庫の有るサイズの「セル」については、数量入力が可能な空欄とし、製造していないか在庫の無いサイズの「セル」については、数量入力が不可能なマスクをかけることにより、品番毎にサイズの有無が分かり、在庫の無い商品を注文するといった誤入力が防止可能になった。
【００５７】
マトリックス出力部１０２ｂから出力されたマトリックス表は、通信インターフェース部１０４を介し、ネットワーク３００を経由して取引先端末４００−１の取引先へ送信されると、取引先の発注担当者がイベントに展示される全商品の中から、注文したい品番の色とサイズを選んで該当する欄に発注数量を入力する。発注数量が入力されたマトリックス表の発注表データは、ネットワーク３００経由で受注作成装置１００に返送され、マトリックス取込部１０２ｃで発注データが取り込まれる。取引先端末４００−１から返送された発注データは、受注作成装置１００に取り込むことにより、受注データとして計上する（ステップＳＡ３）。
【００５８】
このように、本実施形態に係る受注作成装置１００によれば、品番マスタ１０６ｆを用いてイベントに展示する商品の品番にイベントＣＤを事前に設定しておき、イベント開催時にイベントＣＤを指定するだけで、展示する商品の品番データを抽出して、マトリックス表形式の発注表に変換することができる。このため、イベントに展示される商品の発注表の作成業務を大幅に軽減できると共に、マトリックス表形式に自動変換するため、迅速な発注依頼をかけることができる。
【００５９】
また、マトリックス出力部１０２ｂから出力する発注表は、表示項目の共通化やレイアウトなど共通のフォーマットで作成されるため、取引形態が統一化され、イベント業務の効率化を図ることができる。
【００６０】
さらに、取引先で発注数量が入力された発注表データを取り込むマトリックス取込部１０２ｃは、発注表のフォーマットが統一化されているため、発注データの取り込みを正確かつ迅速に行うことができ、取り込まれた発注データを受注データとしてそのまま計上することができる。このように、本実施形態に係る受注作成装置１００は、イベント開催時に取引先からのまとまった大量注文を処理する場合であっても、入力業務の軽減化を図り、発注依頼から受注計上までを迅速に処理することができる。
【００６１】
［４．他の実施形態］
本発明は、上述した実施形態以外にも、特許請求の範囲に記載した技術的思想の範囲内において種々の異なる実施形態にて実施されてよいものである。
【００６２】
例えば、実施形態において説明した各処理のうち、自動的に行われるものとして説明した処理の全部または一部を手動的に行うこともでき、あるいは、手動的に行われるものとして説明した処理の全部または一部を公知の方法で自動的に行うこともできる。
【００６３】
また、本明細書中や図面中で示した処理手順、制御手順、具体的名称、各処理の登録データや検索条件等のパラメータを含む情報、画面例、データベース構成については、特記する場合を除いて任意に変更することができる。
【００６４】
また、受注作成装置１００に関して、図示の各構成要素は機能概念的なものであり、必ずしも物理的に図示の如く構成されていることを要しない。
【００６５】
例えば、受注作成装置１００が備える処理機能、特に制御部１０２にて行われる各処理機能については、その全部または任意の一部を、ＣＰＵおよび当該ＣＰＵにて解釈実行されるプログラムにて実現してもよく、また、ワイヤードロジックによるハードウェアとして実現してもよい。尚、プログラムは、本実施形態で説明した処理を情報処理装置に実行させるためのプログラム化された命令を含む一時的でないコンピュータ読み取り可能な記録媒体に記録されており、必要に応じて受注作成装置１００に機械的に読み取られる。すなわち、ＲＯＭまたはＨＤＤ（Ｈａｒｄ  Ｄｉｓｋ  Ｄｒｉｖｅ）などの記憶部１０６などには、ＯＳと協働してＣＰＵに命令を与え、各種処理を行うためのコンピュータプログラムが記録されている。このコンピュータプログラムは、ＲＡＭにロードされることによって実行され、ＣＰＵと協働して制御部１０２を構成する。
【００６６】
また、このコンピュータプログラムは、受注作成装置１００に対して任意のネットワークを介して接続されたアプリケーションプログラムサーバに記憶されていてもよく、必要に応じてその全部または一部をダウンロードすることも可能である。
【００６７】
また、本実施形態で説明した処理を実行するためのプログラムを、一時的でないコンピュータ読み取り可能な記録媒体に格納してもよく、また、プログラム製品として構成することもできる。ここで、この「記録媒体」とは、メモリーカード、ＵＳＢ（Ｕｎｉｖｅｒｓａｌ  Ｓｅｒｉａｌ  Ｂｕｓ）メモリ、ＳＤ（Ｓｅｃｕｒｅ  Ｄｉｇｉｔａｌ）カード、フレキシブルディスク、光磁気ディスク、ＲＯＭ、ＥＰＲＯＭ（Ｅｒａｓａｂｌｅ  Ｐｒｏｇｒａｍｍａｂｌｅ  Ｒｅａｄ  Ｏｎｌｙ  Ｍｅｍｏｒｙ）、ＥＥＰＲＯＭ（登録商標）（Ｅｌｅｃｔｒｉｃａｌｌｙ  Ｅｒａｓａｂｌｅ  ａｎｄ  Ｐｒｏｇｒａｍｍａｂｌｅ  Ｒｅａｄ  Ｏｎｌｙ  Ｍｅｍｏｒｙ）、ＣＤ−ＲＯＭ（Ｃｏｍｐａｃｔ  Ｄｉｓｋ  Ｒｅａｄ  Ｏｎｌｙ  Ｍｅｍｏｒｙ）、ＭＯ（Ｍａｇｎｅｔｏ−Ｏｐｔｉｃａｌ  ｄｉｓｋ）、ＤＶＤ（Ｄｉｇｉｔａｌ  Ｖｅｒｓａｔｉｌｅ  Ｄｉｓｋ）、および、Ｂｌｕ−ｒａｙ（登録商標）  Ｄｉｓｃ等の任意の「可搬用の物理媒体」を含むものとする。
【００６８】
また、「プログラム」とは、任意の言語または記述方法にて記述されたデータ処理方法であり、ソースコードまたはバイナリコード等の形式を問わない。なお、「プログラム」は必ずしも単一的に構成されるものに限られず、複数のモジュールやライブラリとして分散構成されるものや、ＯＳに代表される別個のプログラムと協働してその機能を達成するものをも含む。なお、実施形態に示した各装置において記録媒体を読み取るための具体的な構成および読み取り手順ならびに読み取り後のインストール手順等については、周知の構成や手順を用いることができる。
【００６９】
記憶部１０６に格納される各種のデータベース等は、ＲＡＭ、ＲＯＭ等のメモリ装置、ハードディスク等の固定ディスク装置、フレキシブルディスク、および、光ディスク等のストレージ手段であり、各種処理やウェブサイト提供に用いる各種のプログラム、テーブル、データベース、および、ウェブページ用ファイル等を格納する。
【００７０】
また、受注作成装置１００は、既知のパーソナルコンピュータまたはワークステーション等の情報処理装置として構成してもよく、また、任意の周辺装置が接続された当該情報処理装置として構成してもよい。また、受注作成装置１００は、当該情報処理装置に本実施形態で説明した処理を実現させるソフトウェア（プログラムまたはデータ等を含む）を実装することにより実現してもよい。
【００７１】
更に、装置の分散・統合の具体的形態は図示するものに限られず、その全部または一部を、各種の付加等に応じてまたは機能付加に応じて、任意の単位で機能的または物理的に分散・統合して構成することができる。すなわち、上述した実施形態を任意に組み合わせて実施してもよく、実施形態を選択的に実施してもよい。
【産業上の利用可能性】
【００７２】
本発明は、特に、商品の展示会や催事を開催する小売業界等において受注作成が効率良く行える受注作成システム全般に有用である。
【符号の説明】
【００７３】
１００  受注作成装置
１０２  制御部
１０２ａ  設定部
１０２ｂ  マトリックス出力部
１０２ｃ  マトリックス取込部
１０４  通信インターフェース部
１０６  記憶部
１０６ａ  品種分類マスタ
１０６ｂ  品種マスタ
１０６ｃ  特性マスタ
１０６ｄ  特性値マスタ
１０６ｅ  品種分類別特性定義マスタ
１０６ｆ  品番マスタ
１０６ｇ  商品マスタ
１０８  入出力インターフェース部
１１２  入力装置
１１４  出力装置
２００  サーバ
３００  ネットワーク
４００−１〜４００−ｎ  取引先端末
【図１】
2018097678.tif 000003
【図２】
2018097678.tif 000004
【図３】
2018097678.tif 000005
【図４】
2018097678.tif 000006
【図５】
2018097678.tif 000007
【図６】
2018097678.tif 000008
【図７】
2018097678.tif 000009
【図８】
2018097678.tif 000010
【図９】
2018097678.tif 000011
【図１０】
2018097678.tif 000012
【図１１】
2018097678.tif 000013